(57)【要約】【課題】暗証番号を忘れた場合に、暗証番号を初期化する初期化手段等を備えることにより、暗証番号を忘れたと判断したサーバー側が暗証番号を初期化する情報を端末装置側に送信することによって、効率的に暗証番号を初期化し、ユーザーが操作できる端末装置を提供すること。【解決手段】端末装置１とサーバー装置２の通信システムからなり、ユーザーが端末装置１を操作するために必要な暗証番号を忘却した際、ユーザーが操作する検知手段１２や、ユーザーが間違った暗証番号を入力した回数を数えているカウント手段によってダイレクトにその旨を送信手段Ｂ１３へ送信され、サーバー装置が自動的に送信手段Ａ３を用いて、端末装置１へ暗証番号を初期化する情報１６を送信することによって、暗証番号をデフォルトに変更する。【選択図】図５
2005209062.tif 000002
【特許請求の範囲】
【請求項１】
機器と一体もしくは機器に接続される端末装置と、前記端末装置との間で通信するサーバー装置とを設けた通信システムにおいて、前記サーバー装置は情報を送信する送信手段Ａを有し、前記端末装置は前記サーバー装置から情報を受信する受信手段Ａと、前記端末装置を操作するための暗証番号を記憶している記憶手段と、前記受信手段Ａが受信した情報が暗証番号初期化情報であった場合に、前記記憶手段に記憶されている暗証番号を初期化する初期化手段と、前記端末装置を動作させる制御手段と、前記端末装置を動作させるために前記暗証番号を入力する入力手段Ａと、前記制御手段を起動する為に前記記憶手段に記憶されている暗証番号と前記入力手段Ａから入力された暗証番号を比較し、結果として一致していた場合のみ前記制御手段を起動させる比較手段とを有する通信システム。
【請求項２】
前記端末装置は、外部からの信号を検知する検知手段と、前記検知手段から信号が入力された場合に、前記サーバー装置に対して特定の情報を送信する送信手段Ｂを有し、前記サーバー装置は、前記送信手段Ｂから送信された特定の情報を受信する受信手段Ｂを有し、前記受信手段Ｂで特定の情報を受信した際に、前記送信手段Ａから暗証番号初期化情報を送信する請求項１に記載の通信システム。
【請求項３】
前記端末装置は、前記サーバー装置に対して特定の情報を送信する送信手段Ｂと、前記比較手段が前記入力手段Ａから入力された暗証番号と前記記憶手段に記憶されている暗証番号を比較した結果、もしくは、暗証番号を入力する入力手段Ｂから入力された暗証番号と前記記憶手段に記憶されている暗証番号を比較した結果、一致しない回数をカウントし、当該回数があらかじめ定められた回数以上になった場合、前記送信手段Ｂより、特定情報を送信させるカウント手段を有し、前記サーバー装置は、前記送信手段Ｂから送信された特定の情報を受信する受信手段Ｂを有し、前記受信手段Ｂで特定の情報を受信した際に、前記送信手段Ａから暗証番号初期化情報を送信する請求項１に記載の通信システム。
【請求項４】
端末装置はサーバー装置から情報を受信する受信手段Ａと、前記端末装置を操作するための暗証番号を記憶している記憶手段と、前記受信手段Ａが受信した情報が暗証番号初期化情報であった場合に、前記記憶手段に記憶されている暗証番号を初期化する初期化手段と、前記端末装置を動作させる制御手段と、前記暗証番号を入力する入力手段Ａと、前記制御手段を起動する為に前記記憶手段に記憶されている暗証番号と前記入力手段Ａから入力された暗証番号を比較し、結果として一致していた場合のみ前記端末装置を起動させる比較手段とを有する端末装置。
【請求項５】
前記比較手段が前記記憶手段に記憶されている暗証番号と、入力手段Ｂから入力された暗証番号とを比較した結果、一致した場合に前記記憶手段に記憶されている暗証番号を入力手段Ｂから入力された暗証番号に変更できる変更手段を有する請求項４に記載の端末装置。
【請求項６】
端末装置は、外部からの信号を検知する検知手段と、前記検知手段から信号が入力された場合に、前記サーバー装置に対して特定の情報を送信する送信手段Ｂを有し、前記サーバー装置に対して、前記送信手段Ｂから送信された特定の情報を受信する受信手段Ｂで特定の情報を受信した際に、送信手段Ａから暗証番号初期化情報を送信させる請求項４及び５に記載の端末装置。
【請求項７】
前記端末装置は、前記サーバー装置に対して特定の情報を送信する送信手段Ｂと、前記比較手段が前記入力手段Ａから入力された暗証番号と前記記憶手段に記憶されている暗証番号を比較した結果、もしくは、入力手段Ｂから入力された暗証番号と前記記憶手段に記憶されている暗証番号を比較した結果、一致しない回数をカウントし、当該回数があらかじめ定められた回数以上になった場合、前記送信手段Ｂより、特定情報を送信させるカウント手段を有し、前記サーバー装置に対して、前記特定の情報を受信した際に、送信手段Ａから暗証番号初期化情報を送信させる請求項４及び５に記載の端末装置。
【請求項８】
請求項４〜７のいずれか１項記載の端末装置の手段の少なくとも一部のコンピューターを機能させるためのプログラム。
【発明の詳細な説明】
【技術分野】
【０００１】
本発明は、ネットワーク接続された通信システム、端末装置及びプログラムに関するものである。
【背景技術】
【０００２】
従来、この種の通信システム、端末装置及びプログラムとしては、例えば、携帯電話において、不正防止（ロック）用の暗証番号の一致が判断された際に、他の電話装置から受信した解除命令に応じて、前記携帯電話内の制御手段による規制を解除する解除手段を備えた携帯電話や、携帯電話装置から操作入力された暗証番号が、判断手段で第１記憶手段の記憶暗証番号と一致と判断された際に、前記携帯電話内の制御手段による規制を解除する第２解除手段を備えたことを特徴とする携帯電話が考案されている（特許文献１）。
【特許文献１】特開２００１−１２７８８０号公報
【発明の開示】
【発明が解決しようとする課題】
【０００３】
しかしながら、従来の通信システム、端末装置及びプログラムには次のような問題があった。近年の情報化技術の発達により、いろいろなものを暗証番号で管理する時代になり、それぞれの端末や事柄ごとに生年月日等読まれやすい暗証番号を同一にしていることが多く、もしそれが解読された場合の被害は甚大である。かといってそれぞれ違う暗証番号を持っていては暗証番号を忘れたときにその端末装置のサービスを運営する管理者に連絡をしたりする等の手間がかかることが多い。
【０００４】
また、ユーザーが暗証番号を忘れた際に、サービスセンター等の設置員などがわざわざ出向いて入力をしたりするような隠し暗証番号を兼ね備えていても、同様に手間がかかることが多い。
【０００５】
本発明は、従来の課題を解決するもので、暗証番号を忘れた場合に、暗証番号を初期化する初期化手段等を備えることにより、暗証番号を忘れたと判断したサーバー側が暗証番号を初期化する情報を端末装置側に送信することによって、効率的に暗証番号を初期化し、ユーザーが操作できる端末装置を提供することを目的とする。
【課題を解決するための手段】
【０００６】
従来の課題を解決するために、本発明の端末装置は、機器と一体もしくは機器に接続される端末装置と、前記端末装置との間で通信するサーバー装置とを設けた通信システムを備え、前記サーバー装置は情報を送信する送信手段Ａを有し、前記端末装置は前記サーバー装置から情報を受信する受信手段Ａと、前記端末装置を操作するための暗証番号を記憶している記憶手段と、前記受信手段Ａが受信した情報が暗証番号初期化情報であった場合に、前記記憶手段に記憶されている暗証番号を初期化する初期化手段と、前記端末装置を動作させる制御手段と、前記暗証番号を入力する入力手段Ａと、前記制御手段を起動する為に前記記憶手段に記憶されている暗証番号と前記入力手段Ａから入力された暗証番号を比較し、結果として一致していた場合のみ前記端末装置を起動させる比較手段とを有する通信システムである。これによって、端末の暗証番号が初期化されるので、ユーザーは説明書等に記載されているデフォルトの暗証番号を入力することで、該当端末装置を操作することができる。
【発明の効果】
【０００７】
本発明の端末装置は、機器と一体もしくは機器に接続される端末装置と、前記端末装置との間で通信するサーバー装置とを設けた通信システムを備え、前記サーバー装置は情報を送信する送信手段Ａを有し、前記端末装置は前記サーバー装置から情報を受信する受信手段Ａと、前記端末装置を操作するための暗証番号を記憶している記憶手段と、前記受信手段Ａが受信した情報が暗証番号初期化情報であった場合に、前記記憶手段に記憶されている暗証番号を初期化する初期化手段と、前記端末装置を動作させる制御手段と、前記暗証番号を入力する入力手段Ａと、前記制御手段を起動する為に前記記憶手段に記憶されている暗証番号と前記入力手段Ａから入力された暗証番号を比較し、結果として一致していた場合のみ前記端末装置を起動させる比較手段とを有する通信システムであり、従来のような端末を操作するためユーザーが設定した暗証番号を忘れた際に、隠し暗証番号等を用いて、解除するという方法を省き、効率的に暗証番号を初期化し、ユーザーが端末を操作できる。
【発明を実施するための最良の形態】
【０００８】
第１の発明は、機器と一体もしくは機器に接続される端末装置と、前記端末装置との間で通信するサーバー装置とを設けた通信システムを備え、前記サーバー装置は情報を送信する送信手段Ａを有し、前記端末装置は前記サーバー装置から情報を受信する受信手段Ａと、前記端末装置を操作するための暗証番号を記憶している記憶手段と、前記受信手段Ａが受信した情報が暗証番号初期化情報であった場合に、前記記憶手段に記憶されている暗証番号を初期化する初期化手段と、前記端末装置を動作させる制御手段と、前記端末装置を動作させるために前記暗証番号を入力する入力手段Ａと、前記制御手段を起動する為に前記記憶手段に記憶されている暗証番号と前記入力手段Ａから入力された暗証番号を比較し、結果として一致していた場合のみ前記端末装置を起動させる比較手段とを有するものである。これによって、本システムにおいて、暗証番号を忘れて解除できないということを克服できる。
【０００９】
第２の発明は、前記端末装置は、外部からの信号を検知する検知手段と、前記検知手段から信号が検知された場合に、前記サーバー装置に対して特定の情報を送信する送信手段Ｂを有し、前記サーバー装置は、前記送信手段Ｂから送信された特定の情報を受信する受信手段Ｂを有し、前記受信手段Ｂで特定の情報を受信した際に、前記送信手段Ａから暗証番号初期化情報を送信するものである。これによって、本システムにおいて、端末装置側から暗証番号を忘れていることをサーバー側にお知らせすることで、そのサーバー側は初期化暗証番号を端末装置側に送信してあげることができる。
【００１０】
第３の発明は、前記端末装置は、前記サーバー装置に対して特定の情報を送信する送信手段Ｂと、前記比較手段が前記入力手段Ａから入力された暗証番号と、前記記憶手段に記憶されている暗証番号を比較した結果、もしくは、入力手段Ｂから入力された暗証番号と、前記記憶手段に記憶されている暗証番号を比較した結果、一致しない回数をカウントし、当該回数があらかじめ定められた回数以上になった場合、前記送信手段Ｂより、特定情報を送信させるカウント手段を有し、前記サーバー装置は、前記送信手段Ｂから送信された特定の情報を受信する受信手段Ｂを有し、前記受信手段Ｂで特定の情報を受信した際に、前記送信手段Ａから暗証番号初期化情報を送信するものである。これによって、本システムにおいて、暗証番号を忘れて何回も暗証番号を入力し直すという手間が省けて、暗証番号を初期化してあげることができる。
【００１１】
第４の発明は、前記サーバー装置は情報を送信する送信手段を有し、前記端末装置は前記サーバー装置から情報を受信する受信手段Ａと、前記端末装置を操作するための暗証番号を記憶している記憶手段と、前記受信手段Ａが受信した情報が暗証番号初期化情報であった場合に、前記記憶手段に記憶されている暗証番号を初期化する初期化手段と、前記端末装置を動作させる制御手段と、前記暗証番号を入力する入力手段Ａと、前記制御手段を起動する為に前記記憶手段に記憶されている暗証番号と前記入力手段Ａから入力された暗証番号を比較し、結果として一致していた場合のみ前記端末装置を起動させる比較手段とを有するものである。これによって、本機器において、暗証番号を忘れて解除できないということを克服できる。
【００１２】
第５の発明は、前記比較手段が前記記憶手段に記憶されている暗証番号と、入力手段Ｂから入力された暗証番号を比較した結果、一致した場合に前記記憶手段に記憶されている暗証番号を、入力手段Ｂから入力された暗証番号に変更できる変更手段を有するものである。これによって、本機器において、暗証番号を変更するとき、旧暗証番号を忘れて変更できないという課題を克服できる。
【００１３】
第６の発明は、外部からの信号を検知する検知手段と、前記検知手段から信号が検知された場合に、前記サーバー装置に対して特定の情報を送信する送信手段Ｂを有し、前記サーバー装置は、前記送信手段Ｂから送信された特定の情報を受信する受信手段Ｂを有し、前記受信手段Ｂで特定の情報を受信した際に、前記送信手段Ａから暗証番号初期化情報を送信するものである。これによって、本機器において、端末装置側から暗証番号を忘れていることをサーバー側にお知らせすることで、そのサーバー側は初期化暗証番号を端末装置側に送信してあげることができる。
【００１４】
第７の発明は、前記端末装置は、前記サーバー装置に対して特定の情報を送信する送信手段Ｂと、前記比較手段が前記入力手段Ａから入力された暗証番号と、前記記憶手段に記憶されている暗証番号を比較した結果、もしくは、入力手段Ｂから入力された暗証番号と、前記記憶手段に記憶されている暗証番号を比較した結果、一致しない回数をカウントし、当該回数があらかじめ定められた回数以上になった場合、前記送信手段Ｂより、特定情報を送信させるカウント手段を有し、前記サーバー装置は、前記送信手段Ｂから送信された特定の情報を受信する受信手段Ｂを有し、前記受信手段Ｂで特定の情報を受信した際に、前記送信手段Ａから暗証番号初期化情報を送信するものである。これによって、本機器において、暗証番号を忘れて何回も暗証番号を入力し直すという手間が省けて、暗証番号を初期化してあげることができる。
【００１５】
第８の発明は、第４から第７のいずれかの発明の機能の全てもしくは一部をコンピューターで実行させるプログラムで、プログラムであるのでＣＰＵ（マイコン）、ＲＡＭ、ＲＯＭ、記憶装置、Ｉ／Ｏなどを備えた電気情報機器、コンピューター、サーバー等のハードリソースを協働させて、本発明の通信システム、通信装置及び端末装置の一部あるいは全てを容易に実現することができる。また記録媒体に記録したり通信回線を用いてプログラムを配信したりすることでプログラムの配布やインストール作業が簡単にできる。
【００１６】
以下、本発明の実施の形態について、図面を参照しながら説明する。尚、本実施の形態によって本発明が限定されるものではない。
【００１７】
（実施の形態１）
図１は、本発明の端末装置とサーバー装置における通信システムのブロック図である。
【００１８】
図１において、１は端末装置、２はサーバー装置、３は送信手段Ａ、４は受信手段Ａ、５は記憶手段、６は初期化手段、７は制御手段、８は入力手段Ａ、９は比較手段、１６は情報である。尚、送信手段Ａ３、受信手段Ａ４、入力手段Ａ８は端末装置１の具体的名称である。
【００１９】
それぞれの役割としては、機器と一体もしくは機器に接続される端末装置１と、端末装置１との間で通信するサーバー装置２とを設けた通信システムを備え、サーバー装置２は情報１６を送信する送信手段Ａ３を有し、端末装置１はサーバー装置２から情報１６を受信する受信手段Ａ４と、端末装置１を操作するための暗証番号を記憶している記憶手段５と、受信手段Ａ４が受信した情報１６が暗証番号初期化情報であった場合に、記憶手段５に記憶されている暗証番号を初期化する初期化手段６と、端末装置１を操作可能にする制御手段７と、暗証番号を入力する入力手段Ａ８と、制御手段７を起動する為に記憶手段５に記憶されている暗証番号と入力手段Ａ８から入力された暗証番号を比較し、結果として一致していた場合のみ端末装置１を操作可能にする比較手段９とを有する通信システムである。ここでいう端末装置１とは、セキュリティセンサ群・流量計測装置群・家電機器群・健康機器群等が考えられる。
【００２０】
「セキュリティセンサ群」とは、例えば家庭内の窓や扉に設置し、外部からの侵入者があった場合に反応して警報音を鳴らしたりその旨を通報する開閉センサや、人の存在有無を検知しその旨を警報音や通報を用いて威嚇や報知を行い外部からの侵入者を防ぐ人感センサ等から構成される。これらは、各家庭周辺に設置されているものとする。サーバー装置２は、例えば「セキュリティセンサ群」からの異常通報が発生した場合に、その旨を画面や音声を用いてユーザーへ知らせたり、外部の携帯電話・パソコン・サービスセンター等へ通報する役目を果たす。
【００２１】
「流量計測装置群」とは、電気・ガス・水道等のいわゆる各家庭のライフラインと呼ばれるエネルギー計測装置を指す。サーバー装置２は、これらの「流量計測装置群」と通信を行う機能を有する場合がある。即ち、例えば各家庭のガス流量はガスメーターという「流量計測装置」によって計測される。サーバー装置２はガスメーターの検針値データを取得し、そのデータをガス業者へ送られる。ガス業者は当該ガス使用量に応じて当該家庭にガス料金を請求する。ガスメーターはガスの流量を計測すると共に、各種保安機能も有している。ガスメーターはガスの流れを遮断する遮断機能を有しており、ガス漏れや地震等が発生した場合には自動的にガスの流れを遮断すると共に、その旨を通報する。
【００２２】
通報先は、サーバー装置２であり、ガスメーターが出力した遮断等のアラーム通報を、ガスサービス業者へ通報する。ガスサービス業者は当該家庭へ電話連絡で異常の旨を連絡したり、場合によっては当該家庭へ出向いて対応する。この時、サーバー装置２はその旨を画面や音声等のユーザーインターフェイスを用いてユーザーに通知することも可能である。更にガスメーターは、例えばＬＰガス用のガスメーターであった場合に、ＬＰガスボンベの残量を検出機能も有している。即ち、ＬＰガスボンベの残量が予め定められたレベルを下回った場合や、残量がなくなってしまった場合に、ガスメーターはその旨を検知し通報する。通報の方法は前述の遮断等の場合と同様である。通報を受けたガスサービス業者は当該家庭にガスボンベを配送し交換等の作業を行う。
【００２３】
「家電機器群」とは、洗濯機・電子レンジ・エアコン・冷蔵庫・炊飯器・給湯器等の家庭で利用される家電機器を指す。サーバー装置２は、これらの「家電機器群」の現在の状態を把握したり、制御したりすることが可能である。例えば、外出先の携帯電話よりサーバー装置２を介して「家電機器群」のコントロールをしたり、「家電機器群」の異常情報を外部の携帯電話・パソコン・サービスセンター等へ通報する役目を果たす。
【００２４】
「健康機器群」とは、血圧計・体重計・体脂肪率計・歩数計等の健康機器を指す。これらの機器は、それぞれ単独の機器として存在する場合もあれば、例えば、温水洗浄便座等に組み込まれている場合もある。尚、便器を利用して排泄物の状態を測定して健康データを取得するような機器も「健康機器群」に含まれる。いずれにしろ、これらの「健康機器群」が取得したデータはサーバー装置２を経由して、例えば、外部の携帯電話・パソコン・医療機関・サービスセンター等へ通報することが可能である。更には、例えば、医療機関のような外部からこれらのデータを遠隔で取得することも可能である。
【００２５】
サーバー装置２が外部（ここでは端末装置１）と通信を行う場合においては回線を利用する。ここでいう回線とは、アナログ電話回線・ＩＳＤＮ回線・ＡＤＳＬ回線・ＦＴＴＨ回線・ＣＡＴＶ回線等である。この回線は、当該家庭が導入している上記各種回線種別を利用することとする。サーバー装置２と外部の携帯電話・パソコン・医療機関・サービスセンター等の間は、直接回線交換方式にて接続されている場合もあれば、インターネットサービスプロバイダー（ＩＳＰ）やアプリケーションサービスプロバイダー（ＡＳＰ）経由でインターネットを用いて接続されている場合もある。
【００２６】
ここで、これらのセキュリティセンサ群・流量計測装置群・家電機器群・健康機器群にはそれぞれ暗証番号というものがあり、この暗証番号はこれら群の端末装置１を操作、又は設定変更する為に用いられる認証機能であり、セキュリティセンサ群を使用できるように設定するための操作をする場合や、設定変更を行う場合にはこの暗証番号を求められる。ここでいう「暗証番号」とは０〜９までの数字の組み合わせだけではなく、ＡＢＣ等のアルファベット等の文字の組み合わせを含むものも「暗証番号」とし、端末装置ごとに異なる予め定めた暗証番号に変更されたりする。
【００２７】
ユーザー及び、サービスセンター等の設置員が端末装置１の一部の機能、又は全ての機能を操作するために、入力手段Ａ８によって暗証番号を入力するとする。端末装置１にはデフォルトの暗証番号が説明書や保障証に記述してあったり、又はサービスセンターがあらかじめ独自に設定してあるものとし、ユーザー宅に設置した時に、サービスセンター等の設置員がデフォルトの暗証番号をユーザーへ教えてあげることで、そのデフォルトの暗証番号から任意に好きな暗証番号をユーザーは設定できる。ユーザーが入力手段Ａ８によって入力した暗証番号と、記憶手段５に記憶されているユーザーが任意に設定した暗証番号は比較手段９によって、比較し、一致していた場合には制御手段７へ送られることで認証され、端末操作が行えるようになる。
【００２８】
（実施の形態２）
図２も本発明の端末装置とサーバー装置における通信システムのブロック図である。
【００２９】
図２において、１０は入力手段Ｂ、１１は変更手段である。尚、入力手段Ｂ１０は端末装置１の具体的名称である。
【００３０】
それぞれの役割としては、比較手段９が記憶手段５に記憶されている暗証番号と、暗証番号を入力する入力手段Ｂ１０から入力された暗証番号を比較した結果、一致した場合に記憶手段５に記憶されている暗証番号を入力手段Ｂ１０から入力された暗証番号に変更できるという通信システムである。
【００３１】
具体的に説明すると、図６に示す様に、暗証番号を変更したい場合、通常、暗証番号を兼ね備えた端末である携帯電話の暗証番号（パスワードとも言う）でも、インターネットのＷＥＢによる暗証番号（パスワード）でもそうであるが、旧暗証番号Ｓ１を入力してから新暗証番号Ｓ２と確認の為に新暗証番号（確認）Ｓ３の合計３回入力させるという手法が一般的である。
【００３２】
今回は、デフォルトの暗証番号やユーザーが任意に変更した暗証番号から新規暗証番号に変更しようとした場合に、ユーザーは入力手段Ｂ１０によって旧暗証番号Ｓ１を入力する。すると記憶手段５に記憶された旧暗証番号と入力手段Ｂ１０によって入力された旧暗証番号Ｓ１が、比較手段９によって比較され、比較した結果、一致していた場合に、変更手段１１によって、新暗証番号Ｓ２と新暗証番号（確認）Ｓ３が入力できるようになり、変更手段１１によって入力した新暗証番号Ｓ２は記憶手段５において、新しい暗証番号Ｓ２として旧暗証番号Ｓ１から変更される。
【００３３】
その後、ユーザー及びサービスセンター等の設置員が端末装置１の一部の機能、又は全ての機能を操作するために、入力手段Ａ８によって新暗証番号Ｓ２を入力するとする。ユーザーが入力手段Ａ８によって入力した新暗証番号Ｓ２と、記憶手段５に記憶されている先程書き換えられたユーザーが任意に設定した新暗証番号Ｓ２は、比較手段９によって比較され、一致していた場合には制御手段７へ送られることで認証され、端末操作が行えるようになる。
【００３４】
（実施の形態３）
図３も本発明の端末装置とサーバー装置における通信システムのブロック図である。
【００３５】
図３において、１２は検知手段、１３は送信手段Ｂ、１４は受信手段Ｂ、である。尚、送信手段Ｂ１３、受信手段Ｂ１４は端末装置１の具体的名称である。
【００３６】
それぞれの役割としては、端末装置１は、例えばスイッチのような外部からの信号を検知する検知手段１２と、検知手段１２から信号が検知された場合に、サーバー装置２に対して特定の情報を送信する送信手段Ｂ１３を有し、受信手段Ｂ１４で特定の情報を受信した際に、送信手段Ａ１３から暗証番号初期化情報を送信するという通信システムである。
【００３７】
具体的に説明すると、あらかじめユーザーが任意に設定した暗証番号をユーザーが忘れた場合に、暗証番号を初期化してもらえるように端末装置１に兼ね備えてある検知手段１２を操作することによって、送信手段Ｂ１３はサーバー装置２へ、暗証番号初期化情報を端末装置１が要求している旨を伝えることによって、サーバー装置２の受信手段Ｂ１４から送信手段Ａ３へ伝え、送信手段Ａ３からは情報１６の暗証番号初期化情報を端末装置１の受信手段Ａ４へ伝える。それによって、初期化手段６は受信手段Ａ４から得られた情報１６は暗証番号初期化情報であると解析され、初期化手段６で解析された暗証番号初期化情報により、記憶手段５では、ユーザーが以前に任意に設定して今は忘れてしまった暗証番号から初期化してデフォルトの暗証番号に戻すことによって、入力手段Ａ８によって、入力したデフォルトの暗証番号と、記憶手段５に記憶されている初期化されたことによってデフォルトに書き換えられた暗証番号は比較手段９によって、比較し、一致していた場合には制御手段７へ送られることで認証され、端末操作が行えるようになる。
【００３８】
また、本実施例の説明は端末装置を操作するための暗証番号を忘却した場合のものであるが、「実施の形態２」で記述したように、旧暗証番号から新暗証番号に変更する時に、旧暗証番号を忘れたときにも同様の操作を行えるものとする。
【００３９】
以上のように、暗証番号を忘却した際に、必ずしも２４時間運営しているとは限らないサービスセンター等に電話をして頼ることなく、検知手段１２を用いることによって効率的に暗証番号を初期化させ、スムーズに端末装置１を操作することを可能とさせる。
【００４０】
（実施の形態４）
図４も本発明の端末装置とサーバー装置における通信システムのブロック図である。
【００４１】
図４において、１５はカウント手段である。それぞれの役割としては、端末装置１は、サーバー装置２に対して特定の情報を送信する送信手段Ｂ１３と、比較手段９が入力手段Ａ８から入力された暗証番号と、記憶手段５に記憶されている暗証番号を比較した結果、一致しないで、当該回数があらかじめ定められた回数以上になった場合、その回数をカウントするカウント手段１５はその情報を送信手段Ｂ１３へ伝え、送信手段Ｂ１３ではその特定情報をサーバー装置２へ送信し、サーバー装置２では送信手段Ｂ１３から送信された特定の情報を受信する受信手段Ｂ１４を有し、受信手段Ｂ１４で特定の情報を受信した際に、送信手段Ａ３から暗証番号初期化情報を送信するという通信システムである。
【００４２】
具体的に説明すると、ユーザー及びサービスセンター等の設置員が端末装置１の一部の機能、又は全ての機能を操作するために、入力手段Ａ８によって暗証番号を入力するとする。そのユーザーが入力手段Ａ８によって入力した暗証番号と、記憶手段５に記憶されているユーザーが任意に設定した暗証番号は比較手段９によって、比較し、一致していた場合には制御手段７へ送られることで認証され、端末操作が行えるようになる。しかし、もしユーザーが暗証番号を忘却してしまった場合には、ユーザーが自分で設定した、考えられる暗証番号を何度も入力しても、記憶手段５の暗証番号と一致しない場合、端末装置１にあらかじめ定められた回数（例えば３回）以上を暗証番号として入力すると端末装置１はこのユーザーは暗証番号を忘れたものと判断する。そして、暗証番号初期化情報をサーバー装置２へ要求するために、ダイレクトにその旨をカウント手段１５から送信手段Ｂ１３へ送信することによって、送信手段Ｂ１３はサーバー装置２へ、暗証番号初期化情報を端末装置１が要求している旨を伝え、サーバー装置２の受信手段Ｂ１４から送信手段Ａ３へ伝え、送信手段Ａ３からは情報１６の暗証番号初期化情報を端末装置１の受信手段Ａ４へ伝える。
【００４３】
それによって、初期化手段６は受信手段Ａ４から得られた情報１６は暗証番号初期化情報であると解析され、初期化手段６で解析された暗証番号初期化情報により、記憶手段５では、ユーザーが以前に任意に設定して今は忘れてしまった暗証番号から初期化してデフォルトの暗証番号に戻すことによって、入力手段Ａ８によって入力したデフォルトの暗証番号と、記憶手段５に記憶されている初期化されたことによってデフォルトに書き換えられた暗証番号は比較手段９によって、比較し、一致していた場合には制御手段７へ送られることで認証され、端末操作が行えるようになる。
【００４４】
（実施の形態５）
図５も本発明の端末装置とサーバー装置における通信システムのブロック図である。
【００４５】
実施の形態３の説明は端末装置を操作するための暗証番号を忘却した場合のものであるが、実施の形態２において、旧暗証番号から新暗証番号に変更する時に、旧暗証番号を忘れたときにも同様の操作を行えるものとし、それを説明したものが図５である。
【００４６】
図５におけるそれぞれの役割としては、端末装置１は、サーバー装置２に対して特定の情報を送信する送信手段Ｂ１３と、入力手段Ｂ１０から入力された暗証番号と、記憶手段５に記憶されている暗証番号を比較した結果、一致しない回数をカウントし、当該回数があらかじめ定められた回数以上になった場合、送信手段Ｂ１３より、特定情報を送信させるカウント手段１５を有し、サーバー装置２は、送信手段Ｂ１３から送信された特定の情報を受信する受信手段Ｂ１４を有し、受信手段Ｂ１４で特定の情報を受信した際に、送信手段Ａ３から暗証番号初期化情報を送信するという通信システムである。
【００４７】
具体的に説明すると、ユーザー及びサービスセンター等の設置員が端末装置の旧暗証番号から新暗証番号に変更するために、入力手段Ｂ１０によって暗証番号を入力するとする。そのユーザーが入力手段Ｂ１０によって入力した暗証番号と、記憶手段５に記憶されているユーザーが任意に設定した暗証番号は比較手段９によって、比較し、一致していた場合には制御手段７へ送られることで認証され、端末操作が行えるようになる。しかし、もしユーザーが暗証番号を忘却してしまった場合には、ユーザーが自分で設定した、考えられる暗証番号を何度も入力しても、記憶手段５の暗証番号と一致しない場合、端末装置１にあらかじめ定められた回数（例えば３回）以上を暗証番号として入力すると端末装置１はこのユーザーは暗証番号を忘れたものと判断する。そして、暗証番号初期化情報をサーバー装置２へ要求するために、ダイレクトにその旨をカウント手段１５から送信手段Ｂ１３へ送信することによって、送信手段Ｂ１３はサーバー装置２へ、暗証番号初期化情報を端末装置１が要求している旨を伝え、サーバー装置２の受信手段Ｂ１４から送信手段Ａ３へ伝え、送信手段Ａ３からは情報１６の暗証番号初期化情報を端末装置１の受信手段Ａ４へ伝える。
【００４８】
それによって、初期化手段６は受信手段Ａ４から得られた情報１６は暗証番号初期化情報であると解析され、初期化手段６で解析された暗証番号初期化情報により、記憶手段５では、ユーザーが以前に任意に設定して今は忘れてしまった暗証番号から初期化してデフォルトの暗証番号に戻すことによって、入力手段Ｂ１０によって入力したデフォルトの暗証番号と、記憶手段５に記憶されている初期化されたことによってデフォルトに書き換えられた暗証番号は比較手段９によって、比較し、一致していた場合には制御手段７へ送られることで認証され、端末操作が行えるようになる。
【産業上の利用可能性】
【００４９】
以上のように、本発明にかかる通信システム、端末装置及びプログラムは、従来のように、端末を操作するためにユーザーが設定した暗証番号を忘れた際に、隠し暗証番号等を用いて解除するという方法を省き、効率的に暗証番号を初期化し、ユーザーが端末を操作できることが可能となるので、家庭内のセキュリティセンサ群や、家電機器群、流量計測装置群、健康機器群等の端末装置と通信装置間の通信等の用途に適用できる。
【図面の簡単な説明】
【００５０】
【図１】本発明の実施の形態１における端末装置とサーバー装置の図
【図２】本発明の実施の形態２における端末装置とサーバー装置の図
【図３】本発明の実施の形態３における端末装置とサーバー装置の図
【図４】本発明の実施の形態４における端末装置とサーバー装置の図
【図５】本発明の実施の形態４における端末装置とサーバー装置の図
【図６】暗証番号変更画面の図
【符号の説明】
【００５１】
１  端末装置
２  サーバー装置
３  送信手段Ａ
４  受信手段Ａ
５  記憶手段
６  初期化手段
７  制御手段
８  入力手段Ａ
９  比較手段
１０  入力手段Ｂ
１１  変更手段
１２  検知手段
１３  送信手段Ｂ
１４  受信手段Ｂ
１５  カウント手段
１６  情報
【図１】
2005209062.tif 000003
【図２】
2005209062.tif 000004
【図３】
2005209062.tif 000005
【図４】
2005209062.tif 000006
【図５】
2005209062.tif 000007
【図６】
2005209062.tif 000008